(57)【要約】【課題】部品点数を削減して、製造コストを抑えることができるガスメータを提供する。【解決手段】ガス流入管２１から流入したガスが充満するガス室１３と、ガス室１３内に設けられ、当該ガス室１３内から流れ込むガスの流量を計測する超音波流量計２４と、ガス室１３内におけるガス導出管２３のガス導出孔２３ａと、ガス導出孔２３ａの外周縁部に設けられる環状の弁座３２と、ガス室１３側から弁座３２に着座して、ガス導出孔２３ａからのガスの流れを遮断する遮断弁３１とを備える。【選択図】図３
2019174356.tif 000002
【特許請求の範囲】
【請求項１】
ガス流路から流入したガスが充満するガス室と、
前記ガス室内に設けられ、前記ガス室内から流れ込むガスの流量を計測する流量計測部と、
前記ガス室内における前記ガス流路の流路出口と、
前記流路出口の外周縁部に設けられる環状の弁座と、
前記ガス室側から前記弁座に着座して、前記流路出口からのガスの流れを遮断する遮断弁とを備える
ことを特徴とするガスメータ。
【請求項２】
前記遮断弁を前記弁座に対して開閉移動させるモータと、
前記ガス室が内部に形成されるメータ本体とを備え、
前記モータは、前記メータ本体の外側に設けられる
ことを特徴とする請求項１記載のガスメータ。
【発明の詳細な説明】
【技術分野】
【０００１】
この発明は、ガスの流量を計測するガスメータに関する。
【背景技術】
【０００２】
近年、マイクロコンピュータを内蔵したガスメータとして、所謂、マイコンガスメータが普及されている。このマイコンガスメータは、ガス使用量を検針する本来の機能に加えて、ガスの異常状態を検出すると、ガスの流通を遮断する機能を有している。
【０００３】
そして、このような、従来のガスメータとしては、例えば、特許文献１に開示されている。
【先行技術文献】
【特許文献】
【０００４】
【特許文献１】特開２００２−１９５８６４号公報
【発明の概要】
【発明が解決しようとする課題】
【０００５】
上記従来のガスメータは、ガスの流通を遮断する機能として、遮断弁及びモータ等から構成される遮断弁駆動機構を備えている。この遮断弁駆動機構は、ガスの異常状態が検出されると、モータを駆動制御して、ガス流路におけるガスの流れを遮断弁によって遮断するようにしている。
【０００６】
ここで、上記従来のガスメータは、遮断弁をガス流路内に配置すると共に、モータをガス流路の外面に取り付けている。即ち、上記従来のガスメータは、遮断弁駆動機構をガス流路に備えている。従って、上記従来のガスメータにおいては、遮断弁をガス流路内に収納しているため、ガス流路を複数の部材から構成する必要があるだけでなく、遮断弁駆動機構を支えるため、ガス流路の高剛性化を図る必要がある。
【０００７】
この発明は、上記のような課題を解決するためになされたもので、部品点数を削減して、製造コストを抑えることができるガスメータを提供することを目的とする。
【課題を解決するための手段】
【０００８】
この発明に係るガスメータは、ガス流路から流入したガスが充満するガス室と、ガス室内に設けられ、ガス室内から流れ込むガスの流量を計測する流量計測部と、ガス室内におけるガス流路の流路出口と、流路出口の外周縁部に設けられる環状の弁座と、ガス室側から弁座に着座して、流路出口からのガスの流れを遮断する遮断弁とを備えるものである。
【発明の効果】
【０００９】
この発明によれば、部品点数を削減して、製造コストを抑えることができる。
【図面の簡単な説明】
【００１０】
【図１】この発明の実施の形態１に係るガスメータの外観斜視図である。
【図２】ガスメータから遮断弁及びモータを取り外した状態を示した図である。
【図３】図１のIII−III矢視断面図である。
【発明を実施するための形態】
【００１１】
以下、この発明の実施の形態について図面を参照しながら詳細に説明する。
【００１２】
実施の形態１．
図１は、実施の形態１に係るガスメータの外観斜視図である。図２は、ガスメータから遮断弁及びモータを取り外した状態を示した図である。図３は、図１のIII−III矢視断面図である。なお、図１から図３に記載した矢印は、ガスの流れ方向を示している。
【００１３】
図１から図３に示すように、ガスメータ１は、ケース本体１１及び蓋部材１２を備えている。ケース本体１１は、ガスメータ１の後方側に配置されており、蓋部材１２は、ガスメータ１の前方側に配置されている。なお、ケース本体１１と蓋部材１２とは、メータ本体を構成するものである。
【００１４】
ケース本体１１は、供給されたガスが内部に流入するものであって、前面が開口する箱型をなしている。蓋部材１２は、前面が開口する箱型をなすものの、その深さは、ケース本体１１の深さよりも浅くなっている。また、蓋部材１２は、ケース本体１１内に嵌め込まれている。
【００１５】
このように、ガスメータ１は、ケース本体１１と蓋部材１２とを嵌め合わせた中空構造となっており、そのケース本体１１の内面と蓋部材１２の外面とによって区画形成された密閉空間は、ガス室１３となっている。このガス室１３には、被計測流体となるガスが充満している。
【００１６】
図１から図３に示すように、ケース本体１１は、ガス流入管２１、ガス流出管２２、ガス導出管２３、超音波流量計２４、及び、接続管２５を備えている。ガス流入管２１、ガス流出管２２、ガス導出管２３、超音波流量計２４、及び、接続管２５は、その内部にガス流路を有している。
【００１７】
ガス流入管２１は、ケース本体１１の上部を貫通しており、ガス供給源から供給されたガスを、ガス導出管２３を介して、ガス室１３内に向けて流入させるものである。ガス導出管２３は、流路入口がガス流入管２１の流路出口と連通すると共に、流路出口がガス導出孔２３ａとして、ガス室１３内に開口している。ガス流出管２２は、ケース本体１１の上部を貫通しており、超音波流量計２４によって流量が計測されたガスを、接続管２５を介して、燃焼器等のガス装置に向けて流出させるものである。
【００１８】
超音波流量計２４は、筒状をなす流量計測管２４ａ及び一対の超音波センサ２４ｂ，２４ｃを有しており、ガス室１３内から流量計測管２４ａ内に向けて流れ込んだガスの流量を、超音波センサ２４ｂ，２４ｃ間における超音波の伝播時間に基づいて、計測するものである。なお、超音波流量計２４は、流量計測部を構成するものである。
【００１９】
接続管２５は、蛇腹状をなす配管となっており、流量計測管２４ａの流路出口とガス流出管２２の流路入口とを接続するものである。即ち、接続管２５は、流量計測管２４ａの流路出口とガス流出管２２の流路入口との間の位置ずれを、蛇腹の伸縮によって吸収しつつ、それらを接続させている。これにより、接続管２５は、超音波流量計２４から排出されたガスを、ガス流出管２２に向けて中継する。
【００２０】
また、図１から図３に示すように、ガスメータ１は、遮断弁駆動装置３０を備えている。この遮断弁駆動装置３０は、ガスの流通を遮断するものであって、遮断弁３１、弁座３２、及び、モータ３３等から構成されている。
【００２１】
図２及び図３に示しように、弁座３２は、ガス導出孔２３ａの外周縁部に設けられており、環状をなしている。これに対して、図３に示すように、遮断弁３１は、ガス室１３内に配置されており、弁座３２に対してガス室１３側から着座可能となっている。即ち、遮断弁３１は、ガス導出孔２３ａをガス室１３内から閉鎖する。言い換えれば、遮断弁３１は、ガス導出孔２３ａをガス流れ方向下流側から閉鎖する。
【００２２】
図１及び図３に示すように、モータ３３は、弁座３２に対して遮断弁３１を開閉移動させるものである。このモータ３３は、ガス室１３の外側に配置されており、蓋部材１２の底面に取り付けられている。そして、モータ３３の駆動軸は、蓋部材１２を貫通しており、遮断弁３１は、ガス室１３内において、その駆動軸の先端に装着されている。
【００２３】
ここで、遮断弁駆動装置３０の動作について具体的に説明すると、遮断弁３１は、ガスの異常使用時及び地震発生時等の緊急時において、モータ３３の正回転駆動によって前進して、弁座３２に着座する。これにより、ガス導出孔２３ａは、閉鎖されるため、当該ガス導出孔２３ａからガス室１３内へのガスの流入は、遮断される。
【００２４】
また、遮断弁３１は、超音波流量計２４による流量計測時において、モータ３３の逆回転駆動によって後退して、弁座３２から離脱する。これにより、ガス導出孔２３ａは、開放されるため、ガス導出管２３内に流入したガスは、そのガス導出孔２３ａからガス室１３内に導出される。
【００２５】
従って、ガスメータ１を用いてガスの流量を計測する場合には、先ず、ガス供給源から供給されたガスは、ガス流入管２１からガス導出管２３に流入する。
【００２６】
次いで、ガス導出管２３に流入したガスは、そのガス導出孔２３ａからガス室１３内に導出される。
【００２７】
そして、ガス室１３内に導出されたガスは、当該ガス室１３内を巡回した後、超音波流量計２４の流量計測管２４ａ内に流れ込む。これにより、超音波流量計２４は、流量計測管２４ａ内を通過するガスの流量を、超音波センサ２４ｂ，２４ｃ間における超音波の伝播時間に基づいて、計測する。
【００２８】
その後、超音波流量計２４によって流量が計測されたガスは、その流量計測管２４ａ内から接続管２５内を通過した後、ガス流出管２２からガス装置に向けて流出する。
【００２９】
このとき、遮断弁駆動装置３０は、流量計測時であるため、遮断弁３１を開き位置に位置決めして、ガス導出孔２３ａを常時開放している。
【００３０】
一方、ガスメータ１に設置された各種センサが、ガスの異常使用及び地震発生を検出すると、遮断弁駆動装置３０は、モータ３３を駆動制御して、遮断弁３１を閉じ位置に移動させる。即ち、遮断弁３１は、ガス導出孔２３ａから導出されるガスの流れ方向に抗するように、ガス流れ方向下流側から弁座３２に着座する。これにより、ガスメータ１におけるガスの流通は、遮断される。
【００３１】
以上より、実施の形態１に係るガスメータ１は、ガス流入管２１から流入したガスが充満するガス室１３と、ガス室１３内から流れ込むガスの流量を計測する超音波流量計２４と、ガス室１３内におけるガス導出管２３のガス導出孔２３ａと、ガス導出孔２３ａの外周縁部に設けられる環状の弁座３２と、ガス室１３側から弁座３２に着座して、ガス導出孔２３ａからのガスの流れを遮断する遮断弁３１とを備えている。
【００３２】
これにより、ガスメータ１は、ガス流入管２１内及びガス導出管２３内に遮断弁３１を設けていないため、ガス流入管２１内及びガス導出管２３内に遮断弁３１を設けたときと比べて、当該ガス流入管２１及びガス導出管２３の構造を簡素にすることができる。従って、ガスメータ１は、部品点数を削減して、製造コストを抑えることができる。
【００３３】
また、ガスメータ１は、遮断弁３１を開閉移動させるためのモータ３３を、ガス室１３を形成する蓋部材１２の外側に設けている。これにより、ガスメータ１は、モータ３３がガスに晒されることがないため、モータ３３をガスから保護する専用の部材を必要としない。従って、ガスメータ１は、部品点数を削減して、製造コストを抑えることができる。
【００３４】
なお、本願発明は、その発明の範囲内において、実施の形態の任意の構成要素の変形、もしくは、実施の形態の任意の構成要素の省略が可能である。
【符号の説明】
【００３５】
１  ガスメータ
１１  ケース本体
１２  蓋部材
１３  ガス室
２１  ガス流入管
２２  ガス流出管
２３  ガス導出管
２３ａ  ガス導出孔
２４  超音波流量計
２４ａ  流量計測管
２４ｂ，２４ｃ  超音波センサ
２５  接続管
３０  遮断弁駆動装置
３１  遮断弁
３２  弁座
３３  モータ
【図１】
2019174356.tif 000003
【図２】
2019174356.tif 000004
【図３】
2019174356.tif 000005